(57)【特許請求の範囲】
【請求項１】
カラーイメージセンサと、カラーイメージセンサから出力される各カラー画像信号をデジタルデータに変換する各カラー画像信号毎のＡ／Ｄ変換手段と、前記Ａ／Ｄ変換手段のリファレンス電圧を調整する手段と、複数の出力チャンネルを持ち出力チャンネル毎に可変設定されるデジタル値に応じた電圧を出力するＤ／Ａ変換手段とを有する画像読み取り装置であり、
前記Ｄ／Ａ変換手段は、カラー読み取りモードにおいて、各チャンネルからＡ／Ｄ変換手段の各々のリファレンス電圧を出力し、白黒読み取りモードにおいて、いずれかのチャンネルから白黒濃度調整を行うためのオフセット調整電圧を出力し、検査モードにおいて、前記Ｄ／Ａ変換手段の複数のチャンネルのうち、カラー画像信号の中の選択した１つの系統の前記リファレンス電圧を出力するチャンネルとは別のチャンネルから選択した同一系統のイメージセンサ擬似信号を検査信号として出力することを特徴とする画像読み取り装置。
【請求項２】
請求項１に記載された画像読み取り装置において、前記白黒読み取りモードにおいて、白黒濃度調整を行うためのオフセット調整をＡ／Ｄ変換手段のリファレンス電圧の調整により行うとともに、白黒濃度調整電圧として、白黒読み取りデータを出力するカラー画像信号に施す前記リファレンス電圧調整に用いるチャンネル以外からの電圧を用いるようにしたことを特徴とする画像読み取り装置。
【請求項３】
カラーイメージセンサと、カラーイメージセンサから出力される各カラー画像信号をデジタルデータに変換する各カラー画像信号毎のＡ／Ｄ変換手段と、前記Ａ／Ｄ変換手段のリファレンス電圧を調整する手段と、複数の出力チャンネル毎に可変設定されるデジタル値に応じた電圧を出力するＤ／Ａ変換手段とを有する画像読み取り装置であり、
前記Ｄ／Ａ変換手段は、通常の画像読み取りモードにおいて、各チャンネルからＡ／Ｄ変換手段の各々のリファレンス電圧を出力し、検査モードにおいて、イメージセンサ擬似信号を検査信号として出力するとき、前記イメージセンサ擬似信号をカラー画像信号毎に出力し、指定された色の擬似信号として、該色のカラー画像信号に施す前記リファレンス電圧調整に用いるチャンネル以外からの信号を用いることを特徴とする画像読み取り装置。
【請求項４】
請求項１乃至３のいずれかに記載された画像読み取り装置と、該画像読み取り装置から出力される画像データに基づいて画像を形成する手段を備えたことを特徴とする画像形成装置。
【発明の詳細な説明】
【０００１】
【発明の属する技術分野】
本発明は、原稿からカラーイメージセンサにより読み取った画像をデジタル化処理するスキャナ或いはデジタル複写機等に適用しうる画像データの処理に関し、より詳細には、読み取った画像データのＡ／Ｄ変換時にリファレンス電圧を変更することにより行うレベル調整、及びイメージセンサ・画像信号処理部の検査モードにおける疑似読み取り信号の生成を共通のＤ／Ａコンバータにより行うイメージセンサ・画像信号処理部を備えた画像読み取り装置及び該画像読み取り装置を持つ画像形成装置に関する。
【０００２】
【従来の技術】
現在普及しているデジタル複写機においては、イメージセンサにより読みとった原稿の画像データをＡ／Ｄ変換し、変換したデジタルデータに対して、画像形成部に送り込む画像データが所定の基準レベルを維持するように処理を施す。この処理は、カラー画像である場合に、各色毎に行われる。
また、白黒画像に対しては、白或い原稿の地肌を基準レベルとした調整（地肌の場合、原稿の地肌濃度を飛ばす、地肌除去を行う）をモード設定により行うようにしている。
図５は、上記した処理を行う従来のイメージセンサ・画像信号処理部の回路構成を例示する。
図５を参照して、従来例の回路による処理を説明する。
原稿の読み取りは、ＣＣＤイメージセンサ９上に結像させた原稿画像を光電変換することにより行われる。ＣＣＤイメージセンサ９から出力される画像信号は、後段のアナログ処理回路２４でサンプリング・ゲイン調整したのち、Ａ／Ｄ変換器（ＡＤＣ）２１でデジタルに変換される。また、ＡＤＣ２１のリファレンス電圧（Vreft）調整用にＤ／Ａ変換器（ＤＡＣ）３３も有している。
【０００３】
リファレンス電圧(Vreft)は、読み取りモードにより切り替えられる。この切り替えは、ＣＰＵ３４よりＤＡＣ３３の設定値を変更することにより行う。
白黒自動濃度調整モード時の制御は、アナログ処理回路２４の出力をピーク検出回路４１により検出すると共に地肌レベルをホールドする。そのレベルはオフセット調整回路４２によりオフセット調整され、ＡＤＣ２１のリファレンス電圧(Vreft)として入力される。このリファレンス電圧の大小により地肌を飛ばすレベルを調整することができる。オフセット調整回路４２には、ＤＡＣ３３のCh1の出力が入力され、Ch1の出力電圧によりオフセット電圧を調整する。すなわち、飛ばす地肌レベルを調整する。
通常モード時は、ＤＡＣ３３のCh2の出力がリファレンス電圧Vreftとして選択され、白黒自動濃度調整モード時は、オフセット調整回路４２の出力がリファレンス電圧Vreftとして選択される。その選択は選択回路４３で行われる。これは、アナログSWによる切り替えでも良いし、使わない方の出力電圧を低く設定することにより、高い方の電圧が出力されるような回路構成でも良い。
このように、各モードに用いるリファレンス電圧VreftをＤＡＣ３３から専用のチャンネルにより出力する方式を採っている
【０００４】
また、従来の読み取り回路部は、読み取り画像が異常になったとき、あるいは自動調整ができなくなったときに検査をするための回路を備えている。検査用の回路として、図５に示すように、ＣＣＤイメージセンサ９の擬似波形を出力するテストパターン生成回路３２を設け、テストパターンの信号を通すことにより、ＣＣＤイメージセンサ９が故障したのか、あるいは、後段の信号処理部の方で故障したのかを判定することを可能にしている。
テストパターン生成回路３２からは、図６に示すように全黒：パターン（１）、全白：パターン（２）、ライン：パターン（３）、階調：パターン（４）のパターンなどを出力するようにしている。同図に示す信号ＴＧは、ＣＣＤイメージセンサ９の転送信号で１ラインに１回アサートされる。
図５の読み取り回路のアナログＳＷ３１は、ＣＣＤイメージセンサ９からの信号とテストパターン生成回路３２からの信号との切り替えを行なう。これらの制御は、ＣＰＵ３４及びその周辺回路３５により行なわれる。
【０００５】
【発明が解決しようとする課題】
しかしながら、従来のイメージセンサ・画像信号処理部は、図５に例示された回路に示すように、白黒自動濃度調整モード時において、飛ばす地肌レベルを調整する電圧をＤＡＣ３３からオフセット調整回路４２に入力するために１チャンネルを専用に使用している。また、ＣＣＤイメージセンサ９の擬似波形を出力するためのテストパターン生成回路３２を検査という目的のためだけに別に備えている。つまり、これらの回路は、ＣＰＵ３４により設定されるデジタルデータに応じた電圧値を出力するという点で共通性があるにもかかわらず、それぞれ回路を別に構成しており、回路構成を複雑化させている。
ところで、ＣＣＤイメージセンサ９がカラーイメージセンサの場合に、従来、テストパターン生成回路３２の出力はＲＧＢ各色同時にそれぞれの画像信号処理部に入力されており、そのためにどこの色の信号がおかしいのかを個別に検査しようとすると、信号の切り分けが必要であったが、切り分けが難しく有効な手段を講じていなかった。
本発明は、カラーイメージセンサにより読み取った画像データのＡ／Ｄ変換時にリファレンス電圧を変更することにより行うレベル調整、或いはイメージセンサ・画像信号処理部の検査モードにおける疑似読み取り信号の生成、に用いる電圧をデジタルデータの設定により行うようにする従来の画像読み取りにおける上記した問題点に鑑みてなされたもので、その目的は、前記したレベル調整或いは検査モードにおける疑似読み取り信号を生成するための処理部の構成を簡単化して、部品数を低減し、コストを下げ、パフォーマンスを向上させることを可能とした画像読み取り装置（スキャナ等）及び該画像読み取り装置を備えた画像形成装置（複写機、ファクシミリ等）を提供することにある。
また、疑似読み取り信号によるイメージセンサ・画像信号処理部の検査において、各色ごとの検査データの切り分けを容易にし得る疑似読み取り信号の生成、その信号処理を可能とする回路を備えた画像読み取り装置（スキャナ等）、画像形成装置（複写機、ファクシミリ等）を提供することをさらなる目的とする。
【０００６】
【課題を解決するための手段】
請求項１の発明は、カラーイメージセンサと、カラーイメージセンサから出力される各カラー画像信号をデジタルデータに変換する各カラー画像信号毎のＡ／Ｄ変換手段と、前記Ａ／Ｄ変換手段のリファレンス電圧を調整する手段と、複数の出力チャンネルを持ち出力チャンネル毎に可変設定されるデジタル値に応じた電圧を出力するＤ／Ａ変換手段とを有する画像読み取り装置であり、前記Ｄ／Ａ変換手段は、カラー読み取りモードにおいて、各チャンネルからＡ／Ｄ変換手段の各々のリファレンス電圧を出力し、白黒読み取りモードにおいて、いずれかのチャンネルから白黒濃度調整を行うためのオフセット調整電圧を出力し、検査モードにおいて、前記Ｄ／Ａ変換手段の複数のチャンネルのうち、カラー画像信号の中の選択した１つの系統の前記リファレンス電圧を出力するチャンネルとは別のチャンネルから選択した同一系統のイメージセンサ擬似信号を検査信号として出力することを特徴とする画像読み取り装置である。
【０００７】
請求項２の発明は、請求項１に記載された画像読み取り装置において、前記白黒読み取りモードにおいて、白黒濃度調整を行うためのオフセット調整をＡ／Ｄ変換手段のリファレンス電圧の調整により行うとともに、白黒濃度調整電圧として、白黒読み取りデータを出力するカラー画像信号に施す前記リファレンス電圧調整に用いるチャンネル以外からの電圧を用いるようにしたことを特徴とするものである。
【０００９】
請求項３の発明は、カラーイメージセンサと、カラーイメージセンサから出力される各カラー画像信号をデジタルデータに変換する各カラー画像信号毎のＡ／Ｄ変換手段と、前記Ａ／Ｄ変換手段のリファレンス電圧を調整する手段と、複数の出力チャンネル毎に可変設定されるデジタル値に応じた電圧を出力するＤ／Ａ変換手段とを有する画像読み取り装置であり、前記Ｄ／Ａ変換手段は、通常の画像読み取りモードにおいて、各チャンネルからＡ／Ｄ変換手段の各々のリファレンス電圧を出力し、検査モードにおいて、イメージセンサ擬似信号を検査信号として出力するとき、前記イメージセンサ擬似信号をカラー画像信号毎に出力し、指定された色の擬似信号として、該色のカラー画像信号に施す前記リファレンス電圧調整に用いるチャンネル以外からの信号を用いることを特徴とする画像読み取り装置である。
【００１１】
請求項４の発明は、請求項１乃至３のいずれかに記載された画像読み取り装置と、該画像読み取り装置から出力される画像データに基づいて画像を形成する手段を備えたことを特徴とする画像形成装置である。
【００１２】
【発明の実施の形態】
本発明を添付する図面とともに示す以下の実施例に基づき説明する。なお、以下に示す実施例は、画像形成装置としてのデジタル複写機等へも装備し得る画像読み取り装置を示すものである。
図１は、本発明の実施例に係わる画像読み取り装置の全体構成を概略図として示す。
本実施例の画像読み取り装置の構成を図１を参照して説明すると、本装置１３には、原稿１４を載置するコンタクトガラス１と、原稿露光用のハロゲンランプ２、第1反射ミラー３とを載せた第1キャリッジ６と、第2反射ミラー４及び第3反射ミラー５とを載せた第2キャリッジ７と、原稿の露光部を結像するためのレンズユニット８と、レンズユニット８により結像された原稿画像を光電変換するＣＣＤリニアイメージセンサ９(以後、単に「ＣＣＤ」と記す)と、読み取り光学系等による各種の歪みを補正するための白基準板１５と、センサーボード基板１０と、接続ケーブル１１と、信号処理基板１２を備える。
走査時は第1キャリッジ６及び第２キャリッジ７はステッピングモータによって副走査方向Ａに移動し、ＣＣＤ９の主走査（走査方向はライン方向、即ち図１の紙面に垂直方向）とにより原稿の全面を読み取る。
【００１３】
図２は、図１に示した画像読み取り装置におけるＣＣＤ９の出力からデジタル画像信号を得るまでの信号処理ブロック図を示す。
図２を参照して信号処理のフローを説明すると、先ず、ＣＣＤ９から駆動パルスに同期して２系統(EVEN：偶数、ODD：奇数の画素信号）の画像信号VE,VOが出力される。なお、ＣＣＤ９は、カラーイメージセンサであり、図２に明示していないが、RGB各色信号の奇数、偶数画像信号を出力する。ＣＣＤ９が出力する画像信号VE,VOをそれぞれサンプルホールド回路１６によってサンプルパルスによりサンプリングし保持することによって、画像信号を連続したアナログ信号にし、黒レベル補正回路１７においてＣＣＤ９の暗出力のレベルのバラツキを補正した後、増幅回路１８において各色信号の奇数、偶数画素の出力を一定レベルに合わせた後、マルチプレクス回路１９において奇数、偶数画素の出力をマルチプレクスし画像信号Vとなる。
画像信号Vは、増幅回路２０でＡ/Ｄ変換の基準電圧のレベルに増幅されＡ/Ｄ変換回路２１によって8bitのデジタルデータに変換される。こうして得られたデジタル画像信号はシェーディング補正回路２２においてハロゲンランプ２で照射された白基準板１５の反射光をＣＣＤ９で読み取ることにより得たシェーディング補正データにより、ＣＣＤの感度バラツキや照射系の配光ムラを補正した後、所定の濃度レベルの画像データとなされる。画像データは、次段の画像処理部にＩ／Ｆを介して出力される。なお、ＣＣＤ９およびその他の回路の駆動に必要な信号は、信号処理基板１２上のタイミング信号発生回路２３で生成され、センサーボード基板１０の例えば、アナログ処理回路２４やＣＣＤ９に入力される。
【００１４】
次に、図２の信号処理ブロックを基本構成として、そこに適用可能な本発明の実施例のイメージセンサ・画像信号処理部に関して説明する。
本実施例は、読み取った画像データのＡ／Ｄ変換時にリファレンス電圧を変更することにより行うレベル調整、或いはイメージセンサ・画像信号処理部の検査モードにおける疑似読み取り信号の生成、に用いるＤＡＣを回路要素として用いて、イメージセンサ・画像信号処理部を構成するものである。
本実施例では、ＤＡＣとして複数の出力チャンネルを持ち、チャンネル毎に可変設定されるデジタルデータ値に応じた電圧を出力する単一のＤＡＣを用いる。
単一のＤＡＣにより、カラーイメージセンサから出力される各カラー画像信号をデジタルデータに変換する各カラー画像信号毎のＡＤＣのリファレンス電圧を調整可能とするもので、カラー読み取りモードにおいて、各チャンネルからＡＤＣの各々のリファレンス電圧を出力し、白黒読み取りモードにおいて、いずれかのチャンネルから白黒濃度調整を行うためのオフセット調整電圧を出力するようにして回路構成の簡素化を図ることを一つの目的としている。
また、上記したと同一のＤＡＣにより、通常の画像読み取りモードにおいて、各チャンネルからＡＤＣの各々のリファレンス電圧を出力し、検査モード（イメージセンサ・画像信号処理部の検査モード）において、イメージセンサ擬似信号を検査信号として出力するようにして回路構成の簡素化を図ることをさらなる目的としている。
【００１５】
図３は、本実施例のイメージセンサ・画像信号処理部のブロック図を示す。
このイメージセンサ・画像信号処理部の構成は、図３に示すように、RGBの各画像信号を２系統で出力するＣＣＤ９からそれぞれの信号が、アナログスイッチ３１ａ，３１ｂ，３１ｃを介して、アナログ処理回路２４ａ，２４ｂ，２４ｃに入力され、アナログ処理回路２４ａ，２４ｂ，２４ｃの出力がＡＤＣ２１ａ，２１ｂ，２１ｃに入力される。ＡＤＣ２１ａ，２１ｂ，２１ｃの出力は、マスク回路３６を介してシェーディング補正を含む画像データに処理を施す画像処理回路４０に入力する。
また、ＣＰＵ３４の指示に従い動作するＤＡＣ３３はその出力チャンネルCh1をB画像信号のアナログ処理回路２４ｃにアナログスイッチ３１ｃを介して接続するとともに、R画像信号のＡＤＣ２１ａのリファレンス端子に接続する。ＤＡＣ３３の出力チャンネルCh2は、R画像信号のアナログ処理回路２４ａにアナログスイッチ３１ａを介して接続するとともに、選択回路４３を介してG画像信号のＡＤＣ２１bのリファレンス端子に接続する。ＤＡＣ３３の出力チャンネルCh3は、G画像信号のアナログ処理回路２４bにアナログスイッチ３１bを介して接続するとともに、オフセット調整回路４２の調整入力端子およびB画像信号のＡＤＣ２１cのリファレンス端子に接続する。
また、G画像信号のアナログ処理回路２４bの出力はピーク検出回路４１に入力され、その出力はオフセット調整回路４２に入力される。オフセット調整回路４２の出力は、選択回路４３を介してG画像信号のＡＤＣ２１bのリファレンス端子に入力される。
【００１６】
次いで、図３に示したイメージセンサ・画像信号処理部の動作を説明する。
先ず、画像読み取りモードの動作を示し、その後、イメージセンサ・画像信号処理部の検査モードを示す。
画像読み取りモードにおいても通常のカラー読み取りと白黒自動濃度調整読み取りでは異なる動作で出力データのレベル調整を行うので、「通常カラー読み取りモード」「白黒自動濃度調整読み取りモード」としてそれぞれについて順に述べる。
「通常カラー読み取りモード」
このモードにおいては、アナログ処理回路２４ａ，２４ｂ，２４ｃへはRGB画像信号を入力するので、ＤＡＣ３３の各チャンネルからの入力をアナログSW３１ａ，３１ｂ，３１ｃにより阻止する。ＤＡＣ３３の出力チャンネルCh1，Ch2，Ch3からはRGB画像信号それぞれのＡＤＣ２１ａ，２１ｂ，２１ｃのリファレンス電圧VreftとしてＣＰＵ３４により設定された電圧を出力する。そのために、選択回路４３で出力チャンネルCh2の出力を選択することにより、G画像信号のリファレンス電圧Vreftとする。ＡＤＣ２１ａ，２１ｂ，２１ｃにより画像データのレベル調整を行い、画像処理回路４０へ出力する。なお、このモードでは、マスク回路３６を機能させる必要はない。
上記のように、RGB各色の画像信号ごとにＡＤＣ２１ａ，２１ｂ，２１ｃを設けたイメージセンサ信号処理部におけるＡＤＣ２１ａ，２１ｂ，２１ｃのリファレンス・トップ電圧を調整する手段として、３個の出力チャンネルCh1，Ch2，Ch3を持つＤＡＣ３３の各出力チャンネルをRGBの画像信号の調整に使用し、後述する動作モードにおける動作とで、ＤＡＣ３３の３個の出力チャンネルを使い分けることにより、部品の低減・回路の簡素化を図ることが可能となる。
【００１７】
「白黒自動濃度調整読み取りモード」
このモードにおいては、画像データの出力はG画像信号のみ使用される。そのためにアナログ処理回路２４ｂへはG画像信号のみを入力するようにして、それ以外の画像信号及びＤＡＣ３３の各チャンネルからの入力をアナログSWにより阻止する。なお、最終段のマスク回路３６により阻止するようにすることも可能である。
自動濃度調整は、アナログ処理回路２４ｂの出力画像信号のピーク値を検出して、オフセット調整のためにＡＤＣ２１ｂのリファレンス電圧Vreftを検出したピーク値に基づいて変化させる。
回路の動作は、ピーク検出回路４１により画像信号の地肌レベルをホールドし、そのレベル値をオフセットの制御値に用いるが、設定によりその値をさらに調整できるようにオフセット調整回路４２を設け、調整値をＡＤＣ２１ｂのリファレンス電圧Vreftとして入力する。このリファレンス電圧Vreftの大小により地肌を飛ばすレベルを調整することができる。
【００１８】
オフセット調整回路４２には、ＣＰＵ３４により設定された電圧をＤＡＣ３３の出力チャンネルCh1から入力する。また、選択回路４３はオフセット調整回路４２の出力をＡＤＣ２１ｂのリファレンス電圧Vreftとして入力するための選択をして、ＤＡＣ３３の出力チャンネルCh2からの出力を選択しない。選択回路４３はアナログSWにより切り替えても良いし、使わない方の出力電圧を低く設定することにより、高い方の電圧が出力されるような回路構成でも良い。
このようにして、オフセット調整回路４２により飛ばす地肌レベルを調整した白黒画像データがＡＤＣ２１ｂから画像処理回路４０へ出力される。
上記のように、白黒自動濃度調整時に地肌のピークレベルの検出値に基づきG画像信号のＡＤＣのリファレンス電圧を設定して地肌を飛ばす処理において、地肌を飛ばすレベルの調整をする電圧の調整をG画像信号以外のＤＡＣ３３の出力チャンネル（ここでは、上記「通常カラー読み取りモード」におけるR画像信号の調整に使用した出力チャンネルCh1）の出力を利用することにより、従来のように専用のチャンネルを使用しないので、部品の低減・回路の簡素化を図ることが可能となる。
【００１９】
「検査モード」
このモードにおいては、読み取り画像が異常になったとき、あるいは自動調整ができなくなったとき、ＣＣＤ9が故障したのか、あるいは、後段の信号処理部の方で故障したのかを判定するための検査モードを有し、検査モード時にはＣＣＤ９の擬似波形を出力するテストパターン信号をアナログ処理回路２４ａ，２４ｂ，２４ｃに入力する。この擬似波形はＡＤＣ２１ａ，２１ｂ，２１ｃのリファレンス電圧等に利用しているＤＡＣ３３の出力チャンネルCh1，Ch2，Ch3からの出力をそれぞれ利用する。
このときのテストパターン信号は図６に示された信号を用いることができる。テストパターンは、ＣＰＵ３４によりＤＡＣ３３にセットされる。アナログ処理回路２４ａ，２４ｂ，２４ｃへの入力は、アナログSW３１により、通常のＣＣＤ９からの出力信号（ＶＥ，ＶＯ）かテストパターン信号かを切替える。
【００２０】
R画像信号のＣＣＤ出力の擬似波形としてG画像信号用のＡＤＣ２１ｂのリファレンス電圧を設定するために用いるＤＡＣ３３の出力チャンネルCh2を使用する。同様に、G画像信号のＣＣＤ出力の擬似波形としてB画像信号用のＡＤＣ２１ｃのリファレンス電圧を設定するために用いるＤＡＣ３３の出力チャンネルCh3を、B画像信号のＣＣＤ出力の擬似波形としてR画像信号用のＡＤＣ２１ａのリファレンス電圧を設定するために用いるＤＡＣ３３の出力チャンネルCh1を使用する。
この検査モードのときは、ＡＤＣ２１ａ，２１ｂ，２１ｃのリファレンス電圧に利用しているＤＡＣ３３の出力チャンネルを兼用しているため、RGB各色ごとにテストパターン信号を出力する必要がある。例えば、R画像信号のテストのときは、R画像信号用のＡＤＣ２１ａのリファレンス電圧（Ch1電圧）を固定にしておき、G画像信号用のＡＤＣ２１ｂのリファレンス電圧を設定するために用いるＤＡＣ３３の出力チャンネルCh2を使用して擬似波形を発生させて、R画像信号の入力とする。このとき、G画像信号の出力は、ＡＤＣ２１ｂのリファレンス電圧が変化してしまう（テストパターン信号と共通であるから）ため、G画像信号のテストを実行できない。従って、後段のマスク回路３６によりG画像信号の出力をマスクをする必要がある。また、この時、B画像信号系もテストパターン信号を生成できない（R画像信号用のＡＤＣ２１ａのリファレンス電圧と共通でありこの時固定であるから）ので、テストを実行できない。従って、後段のマスク回路３６によりB画像信号の出力をマスクをする必要がある。
G画像信号及びB画像信号をテストするときも同様な制御によるので、各色毎に検査することになる。
【００２１】
上記のように、検査モード時にＤＡＣ３３の出力チャンネルの２つのチャンネルを用いてRGB画像信号の中の選択した画像信号の１つの系統のＣＣＤの擬似信号の入力及びＡＤＣのリファレンス電圧入力を行うようにしたことにより、上記「通常カラー読み取りモード」及び「白黒自動濃度調整読み取りモード」における調整に使用したＤＡＣ３３の出力チャンネルをここにも利用することにより、従来のようにテストパターン生成回路を別に設ける必要がないので、部品の低減・回路の簡素化を図ることが可能となる。また、検査モードにおいて指定された色のＣＣＤの擬似信号として、他の色のＤＡＣ出力を利用することにより、RGB各色ごとの故障検出が可能となり、ＤＡＣ３３の出力を各色ごとに変えることにより、ＲＧＢの切り分けも容易に行うことが可能となる。
【００２２】
次に、図３に実施例として示したイメージセンサ・画像信号処理部の回路の一部をＩＣ化した回路構成を示す。
図４は、この実施例の回路構成を示すブロック図を示す。
図４に示すイメージセンサ・画像信号処理部の回路ブロックにおいて、図３におけるＡＤＣ２１ａ，２１ｂ，２１ｃをアナログ処理回路２４ａ，２４ｂ，２４ｃに内蔵させるように、ＣＣＤ信号処理ＩＣ５０ａ，５０ｂ，５０ｃとしてＣＣＤの出力信号の処理部をＩＣ化する。図３の回路におけるアナログSW３１ａ，３１ｂ，３１ｃの機能は、ＣＣＤ信号処理ＩＣ５０ａ，５０ｂ，５０ｃに設けた内部レジスタにより、通常動作時は、ＣＣＤの出力信号ＶＥ、ＶＯを選択し、検査モード時は、ＤＡＣ３３の出力を擬似波形として選択する。基本的な動作は、図３の回路に関して説明したところと変わりがない。
【００２３】
（１）  請求項１の発明に対応する効果
カラー読み取りモードにおいて、複数の出力チャンネル毎に可変設定されるデジタル値に応じた電圧を出力するＤ／Ａ変換手段の各チャンネルから出力する電圧を各色の画像信号のＡ／Ｄ変換手段の各々のリファレンス電圧として設定し、白黒読み取りモードにおいて、前記出力チャンネルのいずれかを用いて白黒濃度調整を行うためのオフセット調整電圧を出力し、検査モードにおいて、前記Ｄ／Ａ変換手段の複数のチャンネルのうち、カラー画像信号の中の選択した１つの系統の前記リファレンス電圧を出力するチャンネルとは別のチャンネルから選択した同一系統のイメージセンサ擬似信号を検査信号として出力するようにしたことにより、共通のＤ／Ａ変換手段によりカラー読み取りモード及び白黒読み取りモードの調整動作を可能とするとともに、カラーの各系統ごとの故障検出を可能とし、従来のように白黒濃度調整に専用のチャンネルを使用せず、かつテストパターン生成用の回路を別に設ける必要がないので、部品の低減・回路の簡素化を図ることが可能となり、高パフォーマンスの読み取り装置を提供できる。
（２）  請求項２の発明に対応する効果
上記（１）の効果に加え、白黒濃度調整を行うためのオフセット調整をＡ／Ｄ変換手段のリファレンス電圧の調整により行い、調整電圧として、白黒読み取りデータを出力するカラー画像信号に施すリファレンス電圧調整に用いるチャンネル以外からの電圧を用いるようにしたことにより、カラー読み取りモードと白黒濃度調整モードの調整に用いる回路をさらに簡素化することが可能になる。
【００２４】
（３）  請求項３の発明に対応する効果
通常の読み取りモードにおいて、複数の出力チャンネル毎に可変設定されるデジタル値に応じた電圧を出力するＤ／Ａ変換手段の各チャンネルから出力する電圧を各色の画像信号のＡ／Ｄ変換手段の各々のリファレンス電圧として設定し、検査モードにおいて、Ｄ／Ａ変換手段の各出力チャンネルからイメージセンサ擬似信号を検査信号として出力するとき、前記イメージセンサ擬似信号をカラー画像信号毎に出力し、指定された色の擬似信号として、該色のカラー画像信号に施す前記リファレンス電圧調整に用いるチャンネル以外からの信号を用いるようにしたことにより、共通のＤ／Ａ変換手段により両モードの動作を可能とするとともに、各色毎の検査を可能とし、従来のようにテストパターン生成用の回路を別に設ける必要がないので、部品の低減・回路の簡素化を図ることが可能となり、高パフォーマンスの読み取り装置を提供できる。
（４）  請求項４の発明に対応する効果
請求項１〜３記載の画像読み取り装置を備えた複写機、ファクシミリ等の画像形成装置おいて上記（１）〜（３）の効果を実現することにより、画像形成装置の性能を向上させることが可能となる。
【図面の簡単な説明】
【図１】  本発明の実施例に係わる画像読み取り装置の全体構成を概略図として示す。
【図２】  図１に示した画像読み取り装置におけるＣＣＤの出力からデジタル画像信号を得るまでの信号処理回路ブロック図を示す。
【図３】  本発明の実施例に係わるイメージセンサ・画像信号処理部の回路ブロック図を示す。
【図４】  一部をＩＣ化したイメージセンサ・画像信号処理部の回路ブロック図を示す。
【図５】  従来のイメージセンサ・画像信号処理部の回路ブロック図を示す。
【図６】  イメージセンサ・画像信号処理部の検査時に入力するテストパターン信号を示す。
【符号の説明】
１…コンタクトガラス、          ２…ハロゲンランプ、
９…ＣＣＤリニアイメージセンサ、
２１，２１ａ，２１ｂ，２１ｃ…Ａ／Ｄ変換器（ＡＤＣ）、
２４，２４ａ，２４ｂ，２４ｃ…アナログ処理回路、
３１，３１ａ，３１ｂ，３１ｃ…アナログスイッチ、
３２…テストパターン生成回路、  ３３…Ｄ／Ａ変換器（ＤＡＣ）、
３４…ＣＰＵ、                  ３６…マスク回路、
４０…画像処理回路、            ４１…ピーク検出回路、
４２…オフセット調整回路、      ４３…選択回路、
３１，３１ａ，３１ｂ，３１ｃ…ＣＣＤ信号処理ＩＣ。
【図１】
0003900837.tif 000002
【図２】
0003900837.tif 000003
【図３】
0003900837.tif 000004
【図４】
0003900837.tif 000005
【図５】
0003900837.tif 000006
【図６】
0003900837.tif 000007